(57)【要約】      （修正有）【課題】一対のパーツの噛み合い結合によって側壁を容易に組立てることができ、収納時においては上蓋の表面で焼いた被焼成食品の液汁・油等がこぼれないようにした焚き火装置を提供する。【解決手段】略矩形の皿状に形成し且つ下部に折畳位置と拡開位置との間で揺動自在とした一対の脚部６を備えた灰受け用の台座部２と、一対の側板材がヒンジ部１３を介して折曲自在となって連繋し、一方の側板材の側縁部に上下一対の第１係止片を設け且つ他方の側板材の側縁部に中央一つの第２係止片を設けた一対の側壁構成パーツ３ａ，３ｂを、第１係止片・第２係止片同士の噛み合わせによって矩形筒状となして台座部２の上に載置する側壁３と、側壁３の内側に向けて突設した係架部１４に係架保持して配置する固形燃料載置用の目皿４と、台座部２の上方開口部を塞ぐため、中央に複数のスリット５ａを並設してなる上蓋５とを設ける。【選択図】図５
0003186483.tif 000002
【実用新案登録請求の範囲】
【請求項１】
略矩形の皿状に形成され且つ下部に折畳位置と拡開位置との間で揺動自在とした一対の脚部を備えた灰受け用の台座部と、一対の側板材がヒンジ部を介して折曲自在となって連繋され、一方の側板材の側縁部に第１係止片を設け且つ他方の側板材の側縁部に第２係止片を設けた一対の側壁構成パーツを、第１係止片・第２係止片同士の噛み合わせによって矩形筒状となして台座部の上に載置される側壁と、側壁の内側に向けて突設した係架部に係架保持されて配置される固形燃料載置用の目皿と、台座部の上方開口部を塞ぐため、複数のスリットを配設してなる上蓋と、を有してなることを特徴とする焚き火装置。
【請求項２】
第１係止片は一方の側板材の側縁部の上下で一対にして、第２係止片は他方の側板材の側縁部の中央にそれぞれ設けてある請求項１記載の焚き火装置。
【請求項３】
折曲自在な一対の側壁構成パーツは、拡開したときに組み合わせ方向とは逆方向に折曲されないようヒンジ部を介して互いに接合されている一方の側板材および他方の側板材のいずれか一方の接合縁部がいずれか他方の接合縁部よりも長く形成されてなる折曲規制部を設けている請求項１または２記載の焚き火装置。
【請求項４】
上蓋は中央を下方に窪ませてなる請求項１乃至３のいずれか記載の焚き火装置。
【請求項５】
目皿は鉄製によって形成されている請求項１乃至４のいずれか記載の焚き火装置。
【請求項６】
目皿は、その四隅が斜めにカット部を設けてなる請求項１乃至５のいずれか記載の焚き火装置。
【請求項７】
皿状の台座部は、一対の側壁構成パーツに分解された側壁、目皿、上蓋を共に収納可能にしてなる請求項１乃至６のいずれか記載の焚き火装置。
【請求項８】
略矩形の皿状に形成され且つ下部に折畳位置と拡開位置との間で揺動自在とした一対の脚部を備えた灰受け用の台座部と、一対の側板材がヒンジ部を介して折曲自在となって連繋され、一方の側板材の側縁部に上下一対の第１係止片を設け且つ他方の側板材の側縁部に中央一つの第２係止片を設けた一対の側壁構成パーツを、第１係止片・第２係止片同士の噛み合わせによって矩形筒状となして台座部の上に載置される側壁と、側壁の内側に向けて突設した係架部に係架保持されて配置される固形燃料載置用の目皿と、台座部の上方開口部を塞ぐため、中央に複数のスリットを並設してなる上蓋と、を有し、折曲自在な一対の側壁構成パーツは、拡開したときに組み合わせ方向とは逆方向に折曲されないようヒンジ部を介して互いに接合されている一方の側板材および他方の側板材のいずれか一方の接合縁部がいずれか他方の接合縁部よりも長く形成されてなる折曲規制部を設け、上蓋は中央を下方に窪ませ、目皿は鉄製によって形成され且つその四隅が斜めにカット部を設けてなり、皿状の台座部は、一対の側壁構成パーツに分解された側壁、目皿、上蓋を共に収納可能にしてなることを特徴とする焚き火装置。
【考案の詳細な説明】
【技術分野】
【０００１】
本考案は、例えば被災地やキャンプ地等の野外で暖を取ったり、バーベキュー等をしたりする際に組立が容易で簡単に焚き火をすることができ、不使用時では分解が容易でコンパクトに纏めて収納可能とすることで例えば車両やバイク等による持ち運びにも便利な携帯性あるものとし、また木炭等の固形燃料の燃え滓やバーベキュー等の調理具として使用した際の食品焼成後の焦げ付き等による汚れの洗浄も容易なものとできる焚き火装置に関するものである。
【背景技術】
【０００２】
従来、野外での暖を取るために使用され且つバーベキュー等の調理具としても使用可能とした焚き火装置は、例えば灰受け用の台座部の上に、内側で固形燃料を燃焼させるための側壁が載せられた構造となっていて、これによって暖を取ることができ、あるいはバーベキュー等の調理具として使用する際には、側壁の上部開口側に調理用の網を載せる構成となっている。また、台座部および側壁は、野外にてコンパクトに折り畳むことができるよう複数の金属製板材を組み合わせる構成となっているのが一般的である。
【０００３】
例えば、特許文献１に開示されている焚き火台は、上面に火格子を備え略矩形の皿状に形成された灰受部と、複数の火格子孔を備えてなる火格子の上部周縁を囲むように設けられる囲み板とを備え、囲み板は、前面板、背面板、左右側面板をそれぞれ組み合わせて火格子の周囲を取り囲むように形成され、囲み板の内側が固形燃料を燃焼させる燃焼室を形成し、さらに囲み板の上には、好みの位置に五徳を設けている。
【０００４】
また、特許文献２に開示されている使い捨て折り畳み式コンロは、四周を矩形状に折り曲げてなる立て枠板と、立て枠板の底板受け部の上部に嵌着して設けた底板とからなり、不使用時は立て枠板部と底板を分割して折り畳んで収納可能にし、使用時は底板の上面に木炭等の固形燃料を設置し、立て枠板の上端部に鉄器網等を敷設して使用するものとなっている。
【０００５】
また、特許文献３に開示されている野外用こん炉は、全体を下支えする支持板部と、支持板部の上に取付けられる中央部にメッシュ体を備えた灰受け用および遮熱用の台箱と、台箱の上に載せられて上部開口側に調整板により網等を載置可能とし且つ下部開口側に燃料保持部を取付け可能としてなる炉枠板部とが分解・組立可能となって構成される。すなわち、コ字枠状の台座部と、板材２枚のクロス状の組み合わせによる支持板部と、皿状の台箱と、板材４枚の角筒状の組み合わせによる炉枠板部と、炉枠板部の上に網を載せるための調整板とのそれぞれが個別のパーツとして相互が差し込み態様で組み合わせられている。
【先行技術文献】
【特許文献】
【０００６】
【特許文献１】特開２０１０−２４３０４３号公報
【特許文献２】実用新案登録第３１１２８４１号公報
【特許文献３】特許第４３９５６６５号公報
【考案の概要】
【考案が解決しようとする課題】
【０００７】
しかしながら、上記した特許文献１の場合、焚き火台をバーベキュー等の調理具として使用する際には、囲み板の上に取付けられた五徳の上に、例えば鉄板や鍋等の調理器具を載せて使用するため、調理具支持台としての焚き火台自体の安定性に欠ける。
【０００８】
また、特許文献２の場合、使い捨て折り畳み式コンロをバーベキュー等の調理具として使用する際には、立て枠板の上端部に敷設した鉄器網等が調理中にずれ落ちてしまう虞がある。しかも、立て枠板の内側に設けた底板は単なる板材であるため、調理中に固形燃料の燃え滓や鉄器網から落下する食品の液汁・油等が貯留して強固に付着してしまい、使い捨てとして廃棄処分するにしても環境汚染の原因となる。
【０００９】
また、特許文献３の場合、野外用こん炉は、台座部、支持板部、台箱、炉枠板部、調整板のそれぞれが個別のパーツとして相互が差し込み態様で組み合わせられるため、これらのパーツを組み合わせての野外における組立作業は非常に面倒である。
【００１０】
そこで、本考案は叙上のような従来存した諸事情に鑑み創案されたもので、灰受け用の台座部と、台座部の上に載置される側壁と、側壁の内側に配される木炭等の固形燃料を載せるための目皿と、台座部の上方開口部を塞ぐための上蓋とによって構成された焚き火装置において、その組立時では、側壁は一対のパーツの噛み合い結合によって容易に組立てられるようにし、バーベキュー等の調理具として使用した後の収納時においては上蓋の表面で焼かれた被焼成食品の液汁・油等がこぼれないようにし、さらに使用後においては、目皿に付着した木炭等の固形燃料の燃え滓や上蓋に付着した焼成食品の焦げ付き等による汚れの洗浄が容易であるようにした焚き火装置を提供することを目的とする。
【課題を解決するための手段】
【００１１】
上述した課題を解決するために、本考案にあっては、略矩形の皿状に形成され且つ下部に折畳位置と拡開位置との間で揺動自在とした一対の脚部６を備えた灰受け用の台座部２と、一対の側板材がヒンジ部１３を介して折曲自在となって連繋され、一方の側板材１１ａの側縁部に第１係止片１２ａ，１２ｂを設け且つ他方の側板材１１ｂの側縁部に第２係止片１２ｃを設けた一対の側壁構成パーツ３ａ，３ｂを、第１係止片１２ａ，１２ｂ・第２係止片１２ｃ同士の噛み合わせによって矩形筒状となして台座部２の上に載置される側壁３と、側壁３の内側に向けて突設した係架部１４に係架保持されて配置される固形燃料Ｐ載置用の目皿４と、台座部２の上方開口部を塞ぐため、複数のスリット５ａを配設してなる上蓋５と、を有してなるものである。
第１係止片は１２ａ，１２ｂは一方の側板材１１ａの側縁部の上下で一対にして、第２係止片１２ｃは他方の側板材１１ｂの側縁部の中央にそれぞれ設けてなるものとすることができる。
折曲自在な一対の側壁構成パーツ３ａ，３ｂは、拡開したときに組み合わせ方向とは逆方向に折曲されないようヒンジ部１３を介して互いに接合されている一方の側板材１１ａおよび他方の側板材１１ｂのいずれか一方の接合縁部がいずれか他方の接合縁部よりも長く形成されてなる折曲規制部１５を設けているものとすることができる。
上蓋５は中央を下方に窪ませてなり、さらに目皿４は鉄製によって形成され且つその四隅に斜めに切除したカット部４ｂを設けてなるものとすることができる。
皿状の台座部２は、一対の側壁構成パーツ３ａ，３ｂに分解された側壁３、目皿４、上蓋５を共に収納可能にしてなるものとすることができる。  
【００１２】
以上のように構成された本考案に係る焚き火装置にあって、野外での暖を取るための使用やバーベキュー等の調理具としての使用に際し、一対の側壁構成パーツ３ａ，３ｂは、第１係止片１２ａ，１２ｂ・第２係止片１２ｃ同士の噛み合わせ結合によって矩形筒状の側壁３を形成させ、装置全体の組立てを容易にさせる。
折曲規制部１５は、一対の側壁構成パーツ３ａ，３ｂが拡開して組み合わせ方向とは逆方向に折曲しようとする際には、ヒンジ部１３を介して互いに接合されている側における一方の側板材１１ａの接合縁部によって他方の側板材１１ｂの接合縁部が係止され、当該他方の側板材１１ｂの逆方向への折曲を阻止させる。
中央を下方に窪ませた上蓋５は、調理に際し、被焼成食品Ｓの上蓋５からの落下を防止させ、また収納時においては、上蓋の表面で焼かれた被焼成食品Ｓの液汁・油等の周囲外方への落下を防止させる。
鉄製によって形成された目皿４は、堅牢性を常に維持させる。
四隅を斜めに切除してカット部４ｂを設けてなる目皿４は、筒状に組立てた側壁３の内側で僅かにでも出張るヒンジ部１３と干渉せず、また側壁３内部の四隅において目皿４との間に手指を挿入可能とした隙間を生じさせ、手指を使っての係架部１４に対する目皿４の着脱を容易にさせる。
また、収納に際しては、台座部２の脚部６を折畳んでから、一対の側壁構成パーツ３ａ，３ｂに分解した側壁３を目皿４および上蓋５と共に、皿状の台座部２の内側に収納可能にさせ、台座部２内に収納した上蓋５に付着した液汁・油等の台座部２の外方周辺への飛散を防止させる。
【考案の効果】
【００１３】
本考案によれば、野外で暖を取るための使用やバーベキュー等の調理具としての使用に際し、台座部２上の側壁３を一対の側壁構成パーツ３ａ，３ｂ同士の噛み合い結合によって容易に組立てることができる。また、台座部２に対する側壁３の組み付け、側壁３に対する目皿４・上蓋５それぞれの組み付けにおいて、何等の結合治具・用具を必要とせずに単に載せるだけで容易に組み立てられるため、使用時の組み立てや不使用時の収納が容易に行える。さらに、使用後の目皿４に付着した木炭等の固形燃料Ｐの燃え滓や上蓋５に付着した焼成食品の焦げ付き等による汚れの洗浄が容易に行える。また、例えば上蓋５の形状を変更したり上蓋５を不使用としたりするオプションも可能となる。
【００１４】
すなわち、これは本考案が、略矩形の皿状に形成され且つ下部に折畳位置と拡開位置との間で揺動自在とした一対の脚部６を備えた灰受け用の台座部２と、一対の側板材がヒンジ部１３を介して折曲自在となって連繋され、一方の側板材１１ａの側縁部に第１係止片１２ａ，１２ｂを設け且つ他方の側板材１１ｂの側縁部に第２係止片１２ｃを設けた一対の側壁構成パーツ３ａ，３ｂを、第１係止片１２ａ，１２ｂ・第２係止片１２ｃ同士の噛み合わせによって矩形筒状となして台座部２の上に載置される側壁３と、側壁３の内側に向けて突設した係架部１４に係架保持されて配置される固形燃料Ｐ載置用の目皿４と、台座部２の上方開口部を塞ぐため、複数のスリット５ａを配設してなる上蓋５と、を有してなるからである。
【００１５】
また、折曲自在な一対の側壁構成パーツ３ａ，３ｂは、拡開したときに組み合わせ方向とは逆方向に折曲されないようヒンジ部１３を介して互いに接合されている一方の側板材１１ａおよび他方の側板材１１ｂのいずれか一方の接合縁部がいずれか他方の接合縁部よりも長く形成されてなる折曲規制部１５を設けているので、側壁３が拡開して組み合わせ方向とは逆方向に折曲しようとする際に、ヒンジ部１３を介して互いに接合されている側における一方の側板材１１ａの接合縁部によって他方の側板材１１ｂの接合縁部が係止され、これによって他方の側板材１１ｂの逆方向への折曲を防止することができる。
【００１６】
上蓋５は中央を下方に窪ませてなるので、上蓋５からの被焼成食品Ｓの落下を防止でき、バーベキュー等の調理具として使用した後の台座部２内への収納時においては、上蓋５の表面で焼かれた被焼成食品Ｓの液汁・油等の落下、台座部２の周辺への飛散等を防止することができる。
【００１７】
目皿４は鉄製によって形成されているので、損傷しても交換が容易であり、また安価でもある。
【００１８】
目皿４は、四隅を斜めに切除したカット部４ｂを設けてなるので、筒状に組立てた側壁３の内側面における僅かにでも出張るヒンジ部１３と干渉せず、また側壁３内部の四隅において目皿４との間に手指を挿入可能とした隙間が生じ、これによって手指を使っての目皿４の着脱が容易となる。
【００１９】
皿状の台座部２は、一対の側壁構成パーツ３ａ，３ｂに分解された側壁３、目皿４、上蓋５を共に収納可能にしてなるので、台座部２の脚部６を折畳んでから、側壁３を一対の側壁構成パーツ３ａ，３ｂに分解し、目皿４と共に、皿状の台座部２の内側に収納し、さらに当該台座部２内側に被せられるように上蓋５を収納させることで、装置自体は車両やバイク等による持ち運びに便利となるようコンパクトに纏めることができる。
【００２０】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２１】
【図１】本考案の実施の形態において、収納状態とした本考案焚き火装置における脚部を開脚している状態の斜視図である。
【図２】同じく台座部から一対の側壁構成パーツ・目皿・上蓋を取り出した状態の分解斜視図である。
【図３】一対の側壁構成パーツの噛み合い結合によって側壁を組立てる一例を示し、（ａ）は組立前の分解状態を示す斜視図、（ｂ）は組立後の状態を示す斜視図である。
【図４】台座部の上に側壁・目皿・上蓋を順次配置させ、組み立てる状態を示す斜視図である。
【図５】組立後の焚き火装置の一部切欠斜視図である。
【図６】組立後の焚き火装置の縦断面図である。
【考案を実施するための形態】
【００２２】
以下、図面を参照して本考案の実施の形態を詳細に説明すると、図において示される符号１は、本考案に係る焚き火装置を構成する装置本体であり、例えば被災地やキャンプ地等の野外での暖を取るために使用され、さらにはバーベキュー等の調理具としても使用可能にしたものである。
【００２３】
装置本体１は、図１および図２に示すように、一対の脚部６を備えた灰受け用の台座部２と、一対の側壁構成パーツ３ａ，３ｂによって組立てられる側壁３と、側壁３の内側に配される複数の穿孔部４ａが形成された固形燃料Ｐ載置用の目皿４と、中央に複数のスリット５ａを配設してなる上蓋５とから構成されている。このうち台座部２、側壁３、上蓋５は例えばステンレス材によって形成され、目皿４は例えば鉄材によって形成され且つその四隅には斜め方向に切欠いたカット部４ｂを設けてある。
【００２４】
台座部２は、略矩形を呈する所定深さの皿状に形成されており、一対の脚部６は台座部２の底部下面側において折畳位置と拡開位置との間で揺動自在としてある。脚部６は、台座部２の一方の側面の両側、および他方の側面の両側にそれぞれ一対となって合計４個が一端の揺動軸６ａによってそれぞれ軸支されており、一方と他方の両側面で互いに対向する脚部６同士の略下半分同士は脚係止片６ｂによって連結されている。各脚部６が開くと、一方と他方の両側面の脚部６同士の脚係止片６ｂの上縁が台座部２の下面によって係止され、脚部６は所定の傾斜角度を維持すべく斜め下方に向けて突出配置されるものとなっている。
【００２５】
皿状に形成された台座部２には、一対の側壁構成パーツ３ａ，３ｂがそれぞれ折畳まれた状態で収納され、さらにその上に目皿４と上蓋５とが順に収納されるものとなっている。上蓋５は、台座部２よりも若干小さい略矩形の逆皿状に形成され且つ中央部分は下部開口側に向けて僅かにでも下方に窪ませてあり、上蓋５の開口側を下方に向けることで台座部２の内側が側壁構成パーツ３ａ，３ｂ，目皿４に被さるようにして台座部２内にきっちりと収納されるものとなっている。また、上蓋５の一方と他方の両側面には、各脚部６の揺動軸６ａに対応して略逆Ｕ字状の切欠部５ｂが形成されており、台座部２の内側に収納される際には揺動軸６ａの内方端が切欠部５ｂの内側に配置されることによって、上蓋５と揺動軸６ａとの干渉を防止すべくなしてある。
【００２６】
側壁３は、一対の側壁構成パーツ３ａ，３ｂ相互の噛み合いによって矩形筒状に組み立てられるものとなっている。すなわち、一方の側壁構成パーツ３ａは、一対の側板材１１ａ，１１ｂの各端部がヒンジ部１３を介して折曲自在となって連繋され、一方の側板材１１ａは他方の側板材１１ｂよりも短くなっている。一方の側板材１１ａの側縁部には一方に湾曲した突片状の上下一対となった第１係止片１２ａ，１２ｂを設け且つ他方の側板材１１ｂの側縁部には同じく一方に湾曲した突片状の中央で一つとなった第２係止片１２ｃを設けてある。各側壁構成パーツ３ａ，３ｂの一対の側板材１１ａ，１１ｂそれぞれには、第１係止片１２ａ，１２ｂおよび第２係止片１２ｃの湾曲方向と同じ側に向けて水平に切り起こした係架部１４が形成され、一対の側壁構成パーツ３ａ，３ｂによって組み立てられた側壁３内側において上記目皿４が係架部１４に上方から係架保持されるようになっている。また、上記した一対の側壁構成パーツ３ａ，３ｂそれぞれには複数の通気孔１６が形成されている。なお、他方の側壁構成パーツ３ｂも、一方の側壁構成パーツ３ａと同様にして構成されているのでその詳細な説明を省略する。
【００２７】
なお、第１係止片１２ａ，１２ｂ、第２係止片１２ｃは、上下一対あるいは中央に一つとする場合に限らず、適宜に変更でき、要はこれらの係止片１２ａ，１２ｂ，１２ｃの噛み合わせで矩形筒状に組立られれば良く、上下方向で相互に噛み合わせよう、その数・配置形態等は適宜選択される。
【００２８】
図３に示すように、一対の側壁構成パーツ３ａ，３ｂは、それぞれの第１係止片１２ａ，１２ｂ・第２係止片１２ｃ同士の噛み合わせによって矩形筒状となして台座部２の上に載置されるものとなっている。すなわち、各側壁構成パーツ３ａ，３ｂの短い一方の側板材１１ａの側縁部に形成された上下一対の第１係止片１２ａ，１２ｂの間に、各側壁構成パーツ３ａ，３ｂの長い他方の側板材１１ｂの側縁部に形成された中央一つの第２係止片１２ｃをそれぞれ噛み合わせ、ヒンジ部１３を介して各側板材１１ａ，１１ｂ同士を直角に折り曲げることで矩形筒状の側壁３が形成されるものとなっている。
【００２９】
また、一対の側壁構成パーツ３ａ，３ｂは、ヒンジ部１３を介して互いに接合されている一方の側板材１１ａ（または他方の側板材１１ｂ）の接合縁部が、他方の側板材１１ｂ（または一方の側板材１１ａ）の接合縁部よりも若干長くすることで、一対の側壁構成パーツ３ａ，３ｂそれぞれが拡開したときに組み合わせ方向とは逆方向に折曲されないよう突っ掛け状の折曲規制部１５となっている（図３（ｂ）における拡大図参照）。
【００３０】
次に、以上のように構成された形態についての組立の一例について説明すると、例えば先ず、図１に示すように、台座部２の脚部６を折畳位置から拡開位置へ揺動し、地面や床面等の暖を取るための、あるいはバーベキュー等の調理をするための所定の場所に設置しておく。次に、図２に示すように、台座部２から上蓋５を取り外し、目皿４および一対の側壁構成パーツ３ａ，３ｂの順に取り出す。
【００３１】
図３に示すように、一対の側壁構成パーツ３ａ，３ｂそれぞれの第１係止片１２ａ，１２ｂ・第２係止片１２ｃ同士の噛み合わせ結合によって矩形筒状の側壁３を組み立てて台座部２の上に載置する。この噛み合わせ結合に際し、一対の側壁構成パーツ３ａ，３ｂがそれぞれ拡開して組み合わせ方向とは逆方向に折曲しようとしても、折曲規制部１５によりヒンジ部１３を介して互いに接合されている側における一方の側板材１１ａの接合縁部によって他方の側板材１１ｂの接合縁部が係止されているため、当該他方の側板材１１ｂの逆方向への折曲が阻止させられる。
【００３２】
図４に示すように、側壁３の上方開口側から目皿４を挿入し、側壁３の内側に設けた係架部１４に目皿４を上方から係架保持させる。このとき、目皿４の四隅には斜めに切欠いたカット部４ｂが形成されているため、側壁３内部の四隅において目皿４との間に上方から手指を挿入可能とした隙間ができ、これによって手指を使っての係架部１４に対する目皿４の装着が容易となる。
【００３３】
そしてこの目皿４の上に予め点火燃焼させる木炭等の固形燃料Ｐを載せ、側壁３の上方開口部を上蓋５で塞ぐ。こうして図５および図６に示すように、固形燃料Ｐの燃焼によって暖を取ったり、バーベキュー等の被焼成食品Ｓの調理をしたりすることができる。
【００３４】
調理に際し、上蓋５は、その中央を下方に窪ませてあるため、被焼成食品Ｓの上蓋５からの落下が食い止められる。また台座部２内への収納時においては、上蓋５の表面で焼かれた食品の液汁・油等の落下が防止される。
【００３５】
使用後の収納に際しては、先ず側壁３から上蓋５を取り外し、側壁３内部の四隅の隙間に上方から手指を挿入して目皿４を持ち上げて取り外す。そして、台座部２から側壁３を取り出して一対の側壁構成パーツ３ａ，３ｂに分解した後、台座部２の脚部６を折畳んでから、一対の側壁構成パーツ３ａ，３ｂ・目皿４・上蓋５の順に台座部２の内側に収納する。こうして、装置本体１は車両やバイク等によってコンパクトな状態で持ち運ばれるものとなる。
【符号の説明】
【００３６】
Ｐ…固形燃料                            Ｓ…被焼成食品
１…装置本体                            ２…台座部
３…側壁                                ３ａ，３ｂ…一対の側壁構成パーツ
４…目皿                                ４ａ…穿孔部
４ｂ…カット部                          ５…上蓋
５ａ…スリット                          ５ｂ…切欠部
６…脚部                                ６ａ…揺動軸
６ｂ…脚係止片                          １１ａ…一方の側板材
１１ｂ…他方の側板材                    １２ａ，１２ｂ…第１係止片
１２ｃ…第２係止片                      １３…ヒンジ部
１４…掛架部                            １５…折曲規制部
１６…通気孔 
【図１】
0003186483.tif 000003
【図２】
0003186483.tif 000004
【図３】
0003186483.tif 000005
【図４】
0003186483.tif 000006
【図５】
0003186483.tif 000007
【図６】
0003186483.tif 000008